(57)【要約】【課題】床パネル支持装置は建物の基礎床面と床パネルとの間に空間を設けるためと、床パネルを上下させて相対する床パネル同士の床面の面一を調整するためと、床パネル同士の床面の面一を保持する機能がなければならない。支柱のネジ部とこのネジ部に螺合するパネル受板のネジ部とのネジに、人の歩行により軸直角方向振動外力を与え、相対変位による滑り軌跡に緩みを起こしパネル受板が下がり床パネルのガタ付き・ずれが生じ、床面の面一を何度も繰返して調整しなければならない。【解決手段】パネル受板の上面に複数個のボールキャスターを設けて人の歩行により生じる床パネルの水平方向の動きをボールキャスターのボールが回転して床パネルとパネル受板の摩擦を無くしてネジの緩みを防ぐことを特徴とする。【選択図】図１
2004285809.tif 000002
【特許請求の範囲】
【請求項１】
ベースプレートの中心部にネジ部を有する支柱を立設した支持台と、パネル受板の中心部に前記ネジ部に螺合するネジ部を有し、前記パネル受板の上面に複数個のボールキャスターを設けたパネル受部と、から構成されることを特徴とする床パネル支持装置。
【請求項２】
建物の基礎床面に請求項１の床パネル支持装置を設置し、前記床パネル支持装置のボールキャスター上にフリーアクセスフロアを構成する床パネルの隅部を載せ、人の歩行によって生じる床パネルの水平方向の動きをボールキャスターのボール回転により支持台とパネル受部と螺合するネジ部の緩み原因の軸直角方向振動外力を取除くことを特徴とするフリーアクセス床構造施工方法。
【発明の詳細な説明】
【０００１】
【発明の属する技術分野】
本発明は、建物の基礎床面と床パネルとの間に空間を設け、通信・電力ケーブル等を収納、または床パネル上に設置された機器及び机等の配置に従って通信・電力ケーブルの配置換えを容易にするフリーアクセスフロアを構成する床パネル支持装置及びフリーアクセス床構造施工方法に関するものである。
【０００２】
【従来の技術】
従来の床パネル支持装置には、床パネルのガタ付き・ずれを防ぐために床パネルの隅部をパネル押さえとパネル受板とで、確実かつ強固に上下方向に挟圧している（例えば、特許文献１参照。）。
【０００３】
【特許文献１】特開２００１−４９８５６号公報（
【発明の効果】、図１）
【０００４】
【発明が解決しようとする課題】床パネル支持装置は建物の基礎床面と床パネルとの間に空間を設けるためと、床パネルを上下させて相対する床パネル同士の床面の面一を調整するためと、床パネル同士の床面の面一を保持する機能がなければならない。しかし、従来の構造には床パネル同士の床面の面一を保持する機能が無い為、支柱のネジ部とこのネジ部に螺合するパネル受板のネジ部とのネジの緩みによりパネル受板が下がり床パネルのガタ付き・ずれが生じ、床パネル同士の床面の面一を保持する事が出来ないために床面の面一を何度も繰返して調整しなければならない。
【０００５】ネジの緩みとして、軸直角方向振動外力を受けてネジが戻り回転して生じる緩みがあり、この緩みはしばしば起こる緩みできわめて危険である。床パネル上を人が歩行すると、足の動きは踏み込んだ時に往きの水平方向の動きを、又、蹴る時に復する水平方向の動きとなり床パネルを水平往復移動させるため、パネル受板上面と床パネル下面が摩擦を起こし、支柱とパネル受板が螺合しているネジ部に軸直角方向振動外力を与え、相対変位による滑り軌跡に緩みを起こす原動力となり、支柱とパネル受板が螺合しているネジ部が戻り回転して緩みを生じ、パネル受板が下がる。
【０００６】従来の床パネル支持装置はベースプレートの中心にオネジ部を有する支柱を立設し、支柱のオネジ部に螺合するメネジ部を中心に有するパネル受板と、支柱のオネジに螺合するメネジ部を有するパネル押さえとで床パネルを確実かつ強固に上下方向に挟圧しているが、軸直角方向振動外力によるネジの緩み防止を設けていないため、床パネル上を人が歩行すると床パネルが水平往復移動し、パネル受板上面と床パネルの下面が、又、パネル押さえのフランジ面と床板の上面が摩擦により螺合しているそれぞれのネジに軸直角方向振動外力を与え、相対変位による滑り軌跡に緩みを起こしてパネル受板及びパネル押さえのネジが戻り回転して緩みを生じる。
【０００７】このため、従来の床パネル支持装置は床パネル上を人が歩行して生じる軸直角方向振動外力を除去する方策が無く、支柱のネジ部に螺合するパネル受板のネジ部とのネジの緩みの防止が弱いため、長い間に床パネル上を人が歩行すると、パネル受板が下がり、床パネルのガタ付き・ずれが生じるために床パネルを外してパネル受板を上下させて相対する床パネル同士の床面の面一を度々調整しなければならない。
【０００８】本発明はこの軸直角方向振動外力を除去する点に鑑みてなされたものであり、従来は無かったボールキャスターを設けることによって、上記問題を解決しようとするものである。
【０００９】
【課題を解決するための手段】
上記課題を解決するため、本発明による床パネル支持装置はベースプレートの中心部にネジ部を有する支柱を立設した支持台と、パネル受板の中心部に前記ネジ部に螺合するネジ部を有し、前記パネル受板の上面に複数個のボールキャスターを設けたパネル受部と、から構成されることを特徴とする。
【００１０】
請求項２に記載された発明においては、建物の基礎床面に請求項１の床パネル支持装置を設置し、前記床パネル支持装置のボールキャスター上にフリーアクセスフロアを構成する床パネルの隅部を載せ、人の歩行によって生じる床パネルの水平方向の動きをボールキャスターのボール回転により支持台とパネル受部と螺合するネジ部の緩み原因の軸直角方向振動外力を取除くことを特徴とするフリーアクセス床構造施工方法を特徴とする。
【００１１】
【発明の実施の形態】
以下、本発明の実施の形態を、添付図面を参照して説明する。図に示すように、本発明による床パネル支持装置１はベースプレート２の中心部にネジ部３を有する支柱４を立設した支持台５と、パネル受板６の中心部に前記ネジ部３に螺合するネジ部７を有し、前記パネル受板６の上面に床パネル８の隅部９を受ける複数個のボールキャスター１０を設けたパネル受部１１と、からなる。
【００１２】
床パネル支持装置１を建物の基礎床面Ａに設置して、ボールキャスター１０に床パネル８の隅部９を載せる。パネル受部１１を回転させて基礎床面Ａから床パネル８の上面までの寸法を設定値に調整して、相対する床パネル８同士の床面を面一に調整する。床パネル支持装置１に載っている四枚の床パネル８の厚みには当然、製造許容誤差があるために前記の調整では相対する床パネル８同士の床面を面一に調整出来ないので、ボールキャスター１０のネジ部１２で微調整する。
【００１３】
【発明の効果】
上記の様に設定された床パネル８上を人が歩行すると、踏み込んだ時、床パネル８にかかる往きの水平方向の動きはボールキャスター１０のボール１３を回転させる力に変換される。同様に、蹴る時、床パネル８にかかる復りの水平方向の動きもボールキャスター１０のボール１３を回転させる力に変換される。
【００１４】
人の歩行で床パネル８に生じた水平往復移動の力はボール１３を回転させる力に変換されるため、従来の構造で生じていた床パネル８の下面とパネル受板６の上面との摩擦が生じないために、支持台５とパネル受部１１とが螺合しているネジ部３・７には軸直角方向振動外力が伝わらないため、パネル受部１１のネジ部７が戻り回転して緩みを生じることは無くなる。ネジの緩み止めとしてネジ部３・７にダブルナット１４・１５を設けることによってネジの緩み止めが強化される。
【００１５】
建物のフリーアクセスフロア上を長期間に渡って人が歩行しても床パネル８のガタ付き・ずれが生じることなく、床パネル８の面一が保持され、再度の調整が不要となる。
【図面の簡単な説明】
【図１】本発明の一例を示す床パネル支持装置及びフリーアクセス床構造施工の斜視図。
【符号の説明】
１は床パネル支持装置、２はベースプレート、３はネジ部、４は支柱、５は支持台、６はパネル受板、７はネジ部、８は床パネル、９は床パネルの隅部、１０はボールキャスター、１１はパネル受部、１２はネジ部、１３はボール、１４・１５はナット。
【図１】
2004285809.tif 000003